(57)【要約】      （修正有）【課題】スマートフォンを片手で安定して保持できるようにして操作性を向上させるとともに、スマートフォンの落下を防ぐためのバンドを提供する。【解決手段】本体となるバンド１は布製の平ひもからなるバンド部とその両端に面ファスナーを配置した構成となっている。両端部の面ファスナーはフック面とループ面を分離した状態でそれぞれ縫い付けまたは接着により取り付いた状態となっている。既製のスマートフォンカバー３１に取り付け、バンドの両端部の面ファスナーを貼り合わせるとバンド部がリング状の形態をなす。更にそのスマートフォンカバーをスマートフォン本体に装着するとバンド部分が指掛け用の取っ手となる。【選択図】図７
0003191944.tif 000002
【実用新案登録請求の範囲】
【請求項１】
既製のスマートフォンのカバーに取り付け、更にそのスマートフォンカバーをスマートフォン本体に装着した時に指掛け用の取っ手部分となるバンド。
【請求項２】
既製のスマートフォンのカバーに取り付ける取っ手部分であり、更にそのスマートフォンカバーをスマートフォン本体に装着し、その取っ手部分に指を差し込んで使用することでスマートフォンを片手で安定して保持できるため片手での操作性を向上させ、更にスマートフォンの落下を防止する指掛けバンド。
【請求項３】
布製の平ひもの両端部に、面ファスナーのフック面とループ面を分離した状態でそれぞれ縫い付けまたは接着により取り付けた請求項２記載のバンド。
【請求項４】
平ひもの両端部に取り付けられた面ファスナーのフック面とループ面を貼り合わせるとリング状の形態をなす請求項３記載のバンド。
【考案の詳細な説明】
【技術分野】
【０００１】本考案はスマートフォンの安定保持及び落下防止のための指掛けバンドに関する。
【背景技術】
【０００２】従来の二つ折り型の携帯電話機では情報を表示する画面と、ボタンが配置された操作部分が分割されており、かつ操作部分は片手で操作するのに適した大きさとなっているため、安定して保持することができて、操作時における落下の危険性は少なかった。
最近主流となってきているタッチパネルを搭載したスマートフォンでは画面自体が操作部分となっており、また従来の携帯電話機と比較して画面自体がかなり大きくなっていることもあり、片手だけで操作するには、指が画面の端まで届かなかったりするなど、安定して保持することが困難となるためにやむを得ず両手を使って操作せざるを得ない状態となっていた。【０００３】また、スマートフォンを不安定な状態のまま使用していると、手から滑るなどして誤ってスマートフォンを落下させてしまい、その衝撃で破損したり故障する原因となっていた。
【考案の概要】
【考案が解決しようとする課題】
【０００４】上述の通り、最近のタッチパネルを搭載したスマートフォンは操作画面が大きく、それを持ちやすくするための機能も特に設けられていないため、片手だけで保持しつつ操作するのが困難となっている。【０００５】またスマートフォンを片手だけで保持しつつ操作するのが困難であるにもかかわらず、無理に片手で操作を行うと、手から滑るなどしてスマートフォン本体を落下させてしまい、破損や故障の原因となっている。【０００６】上記を踏まえてスマートフォンを片手で安定して保持できるようにして、片手での操作性を向上させるとともに、かつスマートフォンの落下を防止するための指掛けバンドを提供する。
【課題を解決するための手段】
【０００７】本考案は既製のスマートフォン用のカバーに対し、本考案の本体であるバンドを取り付け、更にそのカバーをスマートフォン本体に装着することによって本考案のバンド部が指を掛けるための取っ手となるものである。【０００８】本考案の本体となるバンドは平ひもの両端に面ファスナーのフック面とループ面を分離した状態でそれぞれの端部に縫い付けられ固定された形態を特徴とする。
【考案の効果】
【０００９】本考案の指掛けバンドをスマートフォンのカバーに取り付け、更にそのカバーをスマートフォンに装着するとスマートフォンに指掛け用の取っ手が取り付いた状態となる。そのバンド部に指を差し込んで使用することによってバンドの中で指が固定された状態となるため安定した状態で保持することができる。【００１０】スマートフォンを片手で安定した状態で保持できるようになるため画面の操作も容易になり、画面の端に指が届かないといった問題も改善され、片手のみでほぼすべての操作を行うことができるようになる。【００１１】また指がバンドの中で軽く固定された状態となるのでスマートフォンの落下防止にもなる。
【図面の簡単な説明】
【００１２】
【図１】本考案の正面図を示す。
【図２】本考案の側面図を示す。
【図３】本考案の両端部の面ファスナーを貼り合わせた状態の側面図を示す。
【図４】本考案と本考案を設置する部分にカメラレンズ等の開口形状がないタイプの既製のスマートフォンカバー及びスマートフォン本体の取り付け方法を示す分解透視図。
【図５】図４の分解透視図に示すスマートフォンとスマートフォンカバー及び本考案の指掛けバンドを組み立てた状態を示す透視図。
【図６】図５に示す本考案の指掛けバンドを設置したスマートフォンを使用している状態を示す透視図。
【図７】本考案と本考案を設置する部分にカメラレンズ等の開口形状があるタイプの既製のスマートフォンカバー及びスマートフォン本体の取り付け方法を示す分解透視図。
【図８】図７の分解透視図に示すスマートフォンとスマートフォンカバー及び本考案の指掛けバンドを組み立てた状態を示す透視図。
【図９】図８に示す本考案の指掛けバンドを設置したスマートフォンを使用している状態を示す透視図。
【考案を実施するための形態】
【００１３】本考案の指掛けバンドは図１及び図２に示す様に布製の平ひもの部分とその両端部に取付けられた面ファスナーからなる構造である。面ファスナーはフック面とループ面を分離した状態でそれぞれ平ひもの両端部に縫い付けられ固定された状態となっている。
【００１４】図３に示す様に、本考案の本体の両端の面ファスナーのフック面とループ面を貼り合わせると平ひもの部分と合わせた全体がリング状の形態をなす。
【００１５】また、面ファスナーは繰り返し貼り剥がしが可能で再び面ファスナーのフック面とループ面を剥がすと平ひもの部分と合わせた全体が図２に示すように１本のひも状の形態をなす。
【００１６】使用する際にはこの指掛けバンドを既製のスマートフォンカバーに取り付け、更にそのカバーをスマートフォン本体に装着して使用する。
【実施例１】
【００１７】図４に示す様に本考案の指掛けバンドを取り付けるためのスマートフォンカバーにカメラレンズ用等の開口部がない場合、本考案の指掛けバンドを両端の面ファスナーを剥がした状態でスマートフォンカバーの内側に沿わせる形で配置し、スマートフォンカバーの上下端部のところで背面側に回し込む。スマートフォンカバーの背面側で指掛けバンドの両端部の面ファスナーを貼り合わせる。【００１８】スマートフォンカバーに指掛けバンドを取り付けた状態でスマートフォンをスマートフォンカバーに装着すると図５に示すようにスマートフォンカバーに指掛けバンドが取り付いた状態となる。【００１９】使用する際には図６に示すように人差し指・中指・薬指・小指のいずれか任意の指を指掛けバンドの中に差し込み、固定させる。【００２０】この時、指が指掛けバンドに程よく挟まれるような状態となるとより安定して保持することができるのでバンドの長さは面ファスナーの貼付けによって微調整する。【００２１】親指以外の指でスマートフォンを背面側から持つようにして、画面の操作は親指で行う。
【実施例２】
【００２２】図７に示すように本考案の指掛けバンドを取り付けるためのスマートフォンカバーにカメラレンズ用等の開口部がある場合、本考案の指掛けバンドを両端の面ファスナーを剥がした状態でスマートフォンカバーの内側に沿わせる形で配置する。指掛けバンドのどちらか片方の端部をスマートフォンのカバーの中央上部付近にあるカメラレンズ用の開口部から背面側に向けて通す。次に反対側の端部をスマートフォンのカバーの下部の開口部から外側へと通し、スマートフォンの背面側に回し込む。スマートフォンカバーの背面側で指掛けバンドの両端部の面ファスナーを貼り合わせる。【００２３】バンド両端部の面ファスナーを貼り合わせることでリング形状をなすことができるため多様なスマートフォンカバーの形状に対応して取り付けることができる。【００２４】スマートフォンカバーに指掛けバンドを取り付けた状態でスマートフォンをスマートフォンカバーに装着すると図８に示すようにスマートフォンカバーに指掛けバンドが取り付いた状態となる。【００２５】使用する際には図９に示すように人差し指・中指・薬指・小指のいずれか任意の指を指掛けバンドの中に差し込み、固定させる。【００２６】この時、指が指掛けバンドに程よく挟まれるような状態となるとより安定して保持することができるのでバンドの長さは面ファスナーの貼付けによって微調整する。【００２７】親指以外の指でスマートフォンを背面側から持つようにして、画面の操作は親指で行う。
【符号の説明】
【００２８】１  スマートフォン安定保持及び落下防止用指掛けバンド
２  平ひも部
３  面ファスナー（フック面）
４  面ファスナー（ループ面）
１１  スマートフォン
１２  操作画面
２１  カメラレンズ用等の開口がないタイプの既製のスマートフォンカバー
２２  カメラレンズ用等の開口がないタイプの既製のスマートフォンカバーの内側
２３  カメラレンズ用等の開口がないタイプの既製のスマートフォンカバーの背面側
３１  カメラレンズ用等の開口があるタイプの既製のスマートフォンカバー
３２  カメラレンズ用等の開口があるタイプの既製のスマートフォンカバーの内側
３３  カメラレンズ用等の開口があるタイプの既製のスマートフォンカバーの背面側
３４  開口部分
３５  カメラレンズ
４１  人差し指
４２  小指
【図１】
0003191944.tif 000003
【図２】
0003191944.tif 000004
【図３】
0003191944.tif 000005
【図４】
0003191944.tif 000006
【図５】
0003191944.tif 000007
【図６】
0003191944.tif 000008
【図７】
0003191944.tif 000009
【図８】
0003191944.tif 000010
【図９】
0003191944.tif 000011
【手続補正書】
【提出日】平成26年4月28日(2014.4.28)
【手続補正１】
【補正対象書類名】実用新案登録請求の範囲
【補正対象項目名】全文
【補正方法】変更
【補正の内容】
【実用新案登録請求の範囲】
【請求項１】
既製のスマートフォンのカバーに取り付け、更にそのスマートフォンカバーをスマートフォン本体に装着した時に指掛け用の取っ手部分となる、布製の平ひもとその片側端部おもて面と反対側端部裏面に、それぞれフック面とループ面を分離した状態で縫い付けまたは接着により固着された面ファスナーにより構成されるバンド。
【請求項２】
既製のスマートフォンのカバーに取り付けるための、布製の平ひもとその片側端部おもて面と反対側端部裏面に、それぞれフック面とループ面を分離した状態で縫い付けまたは接着により固着された面ファスナーにより構成される取っ手部分であり、更にそのスマートフォンカバーをスマートフォン本体に装着し、その取っ手部分に指を差し込んで使用することでスマートフォンを片手で安定して保持できるため片手での操作性を向上させ、更にスマートフォンの落下を防止する指掛けバンド。
【請求項３】
布製の平ひもと、その片側端部おもて面と反対側端部裏面に、それぞれフック面とループ面を分離した状態で縫い付けまたは接着により固着された面ファスナーにより構成されるバンド。
【請求項４】
平ひもの両端部に取り付けられた面ファスナーのフック面とループ面を貼り合わせるとリング状の形態をなす請求項３記載のバンド。